(57)【要約】【課題】作業者の労務コストを低減することできる、熱交換器のスラッジ除去工事における能率的な給排水方法及び給排水システム、ヒドラジン検出装置、洗浄装置を提供することを課題とする。【解決手段】本給排水方法は、洗浄水の導電率からヒドラジン濃度を連続的に算出すると共に、その導電率またはヒドラジン濃度を制御盤に常時表示する工程と、洗浄後の洗浄水を袋型多層式フィルタの内側から外側に流し、フィルタ使用前後の乾燥重量差からスラッジ除去量を得る工程と、排水受けタンクの水位に応じて樹脂処理流量制御弁の開閉を自動調整し、排水受けタンクの水位を制御する工程と、再循環水ラインの流量に応じて再循環流量制御弁の開閉を自動調整し、再循環水ラインの流量を設定値に自動制御する工程とを含む。【選択図】        図１
2004176946.tif 000002
【特許請求の範囲】
【請求項１】
原子力発電設備の熱交換器を洗浄するヒドラジン水の導電率を測定する導電率測定装置と、前記導電率よりヒドラジン濃度を算出する演算装置とを具えたことを特徴とするヒドラジン検出装置。
【請求項２】
純水にヒドラジンを調整しながら混入して洗浄水を作り、該洗浄水を熱交換器のスラッジ除去対象部に給水し、洗浄後の洗浄水に対し、フィルタによるスラッジ除去処理と、イオン交換樹脂によるヒドラジンの浄化処理とを行ったのち、洗浄水を排水するスラッジ除去工事における給排水方法において、
洗浄水における導電率とヒドラジン濃度との相関関係を予め用意し、測定した洗浄水の導電率からヒドラジン濃度を連続的に算出すると共に、その導電率またはヒドラジン濃度を制御盤に常時表示する工程と、
前記の算出されたヒドラジン濃度が正常値ではない場合に作業者に警報を発する工程とを含む、
ことを特徴とするスラッジ除去工事における給排水方法。
【請求項３】
前記フィルタとして袋型多層式フィルタを用意し、洗浄後の洗浄水をこのフィルタの内側から外側に流し、フィルタ使用前後の乾燥重量差からスラッジ除去量を得る工程をさらに含むことを特徴とする請求項２に記載のスラッジ除去工事における給排水方法。
【請求項４】
排水受けタンクに水位計を設けると共に前記イオン交換樹脂への流路入口に樹脂処理流量制御弁を設け、該排水受けタンクの水位に応じて前記樹脂処理流量制御弁の開閉を自動調整し、該排水受けタンクの水位を制御する工程と、
再循環水ラインに流量計及び再循環流量制御弁を設け、該流量計の測定値に応じて該再循環流量制御弁の開閉を自動調整し、再循環水ラインの流量を設定値に自動制御する工程と
をさらに含むことを特徴とする請求項２又は３に記載のスラッジ除去工事における給排水方法。
【請求項５】
給水タンクにおいて純水にヒドラジンを調整しながら混入して洗浄水を作り、該洗浄水を熱交換器のスラッジ除去対象部に給水する給水設備と、洗浄後の洗浄水を排水受けタンクに貯留し、該タンクの下流において洗浄水に対しフィルタによるスラッジ除去処理を行い、スラッジ除去後の洗浄水に対しイオン交換樹脂塔によるヒドラジンの浄化処理を行ったのち排水する排水処理設備と、スラッジ除去後の洗浄水の少なくとも一部を前記ヒドラジンの浄化処理を行う前に再循環水として必要に応じて前記熱交換器のスラッジ除去対象部に分配給水する再循環水ラインとを備えたスラッジ除去工事における給排水システムにおいて、
前記給水タンクの出口及び前記イオン交換樹脂塔の出口にそれぞれ配置された給水側及び排水側の導電率測定装置と、
前記導電率測定装置がオンライン接続され、予め用意された洗浄水における導電率とヒドラジン濃度との相関関係から、該導電率測定装置によって測定された洗浄水の導電率に基づいてヒドラジン濃度を連続的に算出すると共に、その導電率またはヒドラジン濃度を制御盤に常時表示し、前記の算出されたヒドラジン濃度が正常値ではない場合に作業者に警報を発する制御盤と
を備えたことを特徴とするスラッジ除去工事における給排水システム。
【請求項６】
前記フィルタとして洗浄後の洗浄水が内側から外側に向けて流通される袋型多層式フィルタと、
フィルタ使用前後の乾燥重量差からスラッジ除去量を得るため前記袋型多層式フィルタを乾燥させる乾燥機と
をさらに備えたことを特徴とする請求項５に記載のスラッジ除去工事における給排水システム。
【請求項７】
前記排水受けタンクに設けられた水位計と前記イオン交換樹脂塔の入口に設けられた樹脂処理流量制御弁とを備え、該排水受けタンクの水位に応じて前記樹脂処理流量制御弁の開閉が自動調整される排水受けタンク水位制御手段と、
再循環水ラインに設けられた流量計及び再循環流量制御弁を備え、該流量計の測定値に応じて該再循環流量制御弁の開閉が自動調整される再循環水ライン流量制御手段と
をさらに備えたことを特徴とする請求項５又は６に記載のスラッジ除去工事における給排水システム。
【請求項８】
原子力発電設備の熱交換器をヒドラジン水にて洗浄する洗浄装置であって、洗浄後の洗浄水を貯留する排水受けタンクと、該タンクの洗浄水よりスラッジを除去するフィルタと、スラッジ除去後の洗浄水中のヒドラジンを浄化処理するイオン交換樹脂塔と、洗浄水の導電率を測定する導電率測定装置と、導電率に基づいてヒドラジン濃度を算出又は表示する制御盤と、前記フィルタを乾燥させる乾燥機とが、単一のコンテナ内に収容されていることを特徴とする洗浄装置。
【請求項９】
給水タンクにおいて純水にヒドラジンを調整しながら混入して洗浄水を作り、該洗浄水を熱交換器のスラッジ除去対象部に給水する給水設備と、洗浄後の洗浄水を排水受けタンクに貯留し、該タンクの下流において洗浄水に対しフィルタによるスラッジ除去処理を行い、スラッジ除去後の洗浄水に対しイオン交換樹脂塔によるヒドラジンの浄化処理を行ったのち排水する排水処理設備と、スラッジ除去後の洗浄水の少なくとも一部を前記ヒドラジンの浄化処理を行う前に再循環水として必要に応じて前記熱交換器のスラッジ除去対象部に分配給水する再循環水ラインとを備えたスラッジ除去工事における給排水システムにおいて、
前記の排水受けタンクと、フィルタと、イオン交換樹脂塔と、排水受けタンク下流に設けられた導電率測定装置と、導電率に基づいてヒドラジン濃度を算出又は表示する制御盤と、フィルタを乾燥させる乾燥機とが、単一のコンテナ内に収容されていることを特徴とするスラッジ除去工事における給排水システム。
【発明の詳細な説明】
【０００１】
【発明の属する技術分野】
本発明は、熱交換器におけるスラッジ除去工事における給排水方法及び給排水システム、ヒドラジン検出装置、洗浄装置に関するものである。
【０００２】
【従来の技術】
原子力発電設備においては、定められた運転経過に伴い定期点検（以下、定検という）が実施されるが、この定検中に、運転に伴い蒸気発生器二次側管板上に堆積した金属スラッジ成分を除去・排出する工事を蒸気発生器スラッジランシング工事と呼び、この工事を行う設備は、給水設備、洗浄設備、排水処理設備の３つに区分されている。
【０００３】
図４は、従来実施されている原子力発電設備蒸気発生器のスラッジランシング工事の概念図を示す。Ａは蒸気発生器（以下、「ＳＧ」とも称する）、Ｂは原子力発電設備の外郭（屋内は放射線管理区域）、Ｃは伝熱管、Ｄは管板（蒸気発生器Ａ内に設けられて伝熱管Ｃを貫通し、管板Ｄより上部側が二次側と呼ばれる。）である。
【０００４】
給水設備５１は、給水タンク５２、ヒドラジンポンプ５３、ヒドラジンタンク５４、給水ポンプ５５で構成され、純水５６にヒドラジンが調整され、洗浄水５７として給水ポンプ５５を介し、高圧ジェットポンプ５９へ給水する設備である。
【０００５】
洗浄設備５８は、屋外に配設された高圧ジェットポンプ５９、蒸気発生器Ａ内の管板Ｄ上の二次側に挿入された洗浄装置（ロボット）６０、蒸気発生器Ａ外に配設された２基の排水ポンプ６１等で構成され、前記ロボット６０を管板Ｄ上において移動させ、前記高圧ジェットポンプ５９の高圧水６２を用いて、管板Ｄ上の二次側に堆積する金属スラッジ成分を洗い流すとともに、その洗浄排水６３、６４を前記排水ポンプ６１により屋外へ排水する設備である。
【０００６】
排水処理設備６５は、前記洗浄設備５８からの洗浄排水６３、６４を受けて、バグフィルタ６６、排水受けタンク６７、排水処理ポンプ６８、排水カートリッジフィルタ６９、再循環カートリッジフィルタ７０、カチオン樹脂塔７２、放流タンク７５、放流ポンプ７７等により構成された設備により、洗浄排水６３、６４をフィルタによる濾過や樹脂塔により清浄化して、放流水７６とし、放流タンク７５に貯留後放流する設備である。なお、再循環カートリッジフィルタ７０で処理されたスラッジ除去水７１を再循環水７３として、前記管板Ｄ上の洗浄用水に使用することがある。
【０００７】
図５は、従来の蒸気発生器スラッジランシング工事における給水設備５１の系統図、図６は、蒸気発生器スラッジランシング工事における排水処理設備６５の系統図である。
【０００８】
図４及び図５、図６に基づき、従来行われていた蒸気発生器スラッジランシング工事の作業状況について説明する。給水設備５１において、給水タンク５２に貯留されている純水５６に、ヒドラジンタンク５４からヒドラジンポンプ５３を介して、ヒドラジンを調整しながら混入させ、洗浄水５７とする。ここで、作業者が給水タンク５２から洗浄水５７をサンプル採取してヒドラジン濃度分析☆１を行い（一つのＳＧを給水するにあたって約５０回行う）、洗浄期間中において、洗浄水５７が所定のヒドラジン濃度に調整されていることを確認して、給水ポンプ５５を介し、高圧ジェットポンプ５９に給水する。
【０００９】
排水処理設備６５において、前述の洗浄設備５８から排水された排水６３、６４を洗浄期間中作業者がサンプル採取し、スラッジ濃度分析☆２、☆３（一つのＳＧにつき８０回）を行い、ミリポア濾過紙により濾過し、濾過前後の乾燥重量を測定したものを平均し、積算流量を乗じて回収スラッジ量を評価する。
【００１０】
また、排水受けタンク６７底部の排水処理ポンプ６８の吸込み口にエアを混入しないよう水位を保ちつつ、また、水位がオーバーフローしないよう作業者は水位計７９を常時監視しながら手動弁調整作業☆４（随時）を行い、カチオン樹脂塔７２を介してスラッジ除去水７１を清浄水７４として放流タンク７５へ移送する。
【００１１】
また、前述の洗浄設備５８において、管板Ｄ上のスラッジの排出性を確保するためと、管板Ｄ上外周部の排水ノズル方向の流れを作るため、排水カートリッジフィルタ６９及び再循環水カートリッジフィルタ７０で処理したスラッジ除去水７１を、再循環流量計７８を常時監視しながら作業者が手動弁調整作業☆５（随時）により再循環水７３として供給する。
【００１２】
また、カチオン樹脂塔７２において処理された清浄水７４を作業者がサンプル採取し、ヒドラジン濃度分析☆６（５０回／ＳＧ）後、放流タンク７５に貯留し、放流水７６として放流ポンプ７７を介し放流している。
【００１３】
【特許文献１】
特開昭５７−１２２９９４号公報
【００１４】
【発明が解決しようとする課題】
しかしながら、上述した従来の蒸気発生器スラッジランシング工事では、ヒドラジン濃度管理、スラッジ評価量管理、排水受けタンク水位調整、再循環流量調整作業等、作業者の手作業により進められている作業量が多く且つその作業頻度も高いことから、作業者の労務コストが増加することが問題となっている。
【００１５】
本発明は、上記の問題点を解決するためになされたもので、作業者の労務コストを低減することできる、熱交換器のスラッジ除去工事における能率的な給排水方法及び給排水システム、ヒドラジン検出装置、洗浄装置を提供することを目的とする。
【００１６】
【課題を解決するための手段】
上述の目的を達成するため、本発明のヒドラジン検出装置は、原子力発電設備の熱交換器を洗浄するヒドラジン水の導電率を測定する導電率測定装置と、前記導電率よりヒドラジン濃度を算出する演算装置とを具えたことを特徴とする。
【００１７】
同目的を達成する本発明は、純水にヒドラジンを調整しながら混入して洗浄水を作り、該洗浄水を熱交換器のスラッジ除去対象部に給水し、洗浄後の洗浄水に対し、フィルタによるスラッジ除去処理と、イオン交換樹脂によるヒドラジンの浄化処理とを行ったのち、洗浄水を排水するスラッジ除去工事における給排水方法において、洗浄水における導電率とヒドラジン濃度との相関関係を予め用意し、測定した洗浄水の導電率からヒドラジン濃度を連続的に算出すると共に、その導電率またはヒドラジン濃度を制御盤に常時表示する工程と、前記の算出されたヒドラジン濃度が正常値ではない場合に作業者に警報を発する工程とを含むことを特徴とする。
また、前記フィルタとして袋型多層式フィルタを用意し、洗浄後の洗浄水をこのフィルタの内側から外側に流し、フィルタ使用前後の乾燥重量差からスラッジ除去量を得る工程をさらに含んでいてもよい。
排水受けタンクに水位計を設けると共に前記イオン交換樹脂への流路入口に樹脂処理流量制御弁を設け、該排水受けタンクの水位に応じて前記樹脂処理流量制御弁の開閉を自動調整し、該排水受けタンクの水位を制御する工程と、再循環水ラインに流量計及び再循環流量制御弁を設け、該流量計の測定値に応じて該再循環流量制御弁の開閉を自動調整し、再循環水ラインの流量を設定値に自動制御する工程とをさらに含んでいてもよい。
【００１８】
同目的を達成する本発明は、給水タンクにおいて純水にヒドラジンを調整しながら混入して洗浄水を作り、該洗浄水を熱交換器のスラッジ除去対象部に給水する給水設備と、洗浄後の洗浄水を排水受けタンクに貯留し、該タンクの下流において洗浄水に対しフィルタによるスラッジ除去処理を行い、スラッジ除去後の洗浄水に対しイオン交換樹脂塔によるヒドラジンの浄化処理を行ったのち排水する排水処理設備と、スラッジ除去後の洗浄水の少なくとも一部を前記ヒドラジンの浄化処理を行う前に再循環水として必要に応じて前記熱交換器のスラッジ除去対象部に分配給水する再循環水ラインとを備えたスラッジ除去工事における給排水システムにおいて、前記給水タンクの出口及び前記イオン交換樹脂塔の出口にそれぞれ配置された給水側及び排水側の導電率測定装置と、前記導電率測定装置がオンライン接続され、予め用意された洗浄水における導電率とヒドラジン濃度との相関関係から、該導電率測定装置によって測定された洗浄水の導電率に基づいてヒドラジン濃度を連続的に算出すると共に、その導電率またはヒドラジン濃度を制御盤に常時表示し、前記の算出されたヒドラジン濃度が正常値ではない場合に作業者に警報を発する制御盤とを備えたことを特徴とする。
【００１９】
また、前記フィルタとして洗浄後の洗浄水が内側から外側に向けて流通される袋型多層式フィルタと、フィルタ使用前後の乾燥重量差からスラッジ除去量を得るため前記袋型多層式フィルタを乾燥させる乾燥機とをさらに備えていてもよい。
前記排水受けタンクに設けられた水位計と前記イオン交換樹脂塔の入口に設けられた樹脂処理流量制御弁とを備え、該排水受けタンクの水位に応じて前記樹脂処理流量制御弁の開閉が自動調整される排水受けタンク水位制御手段と、再循環水ラインに設けられた流量計及び再循環流量制御弁を備え、該流量計の測定値に応じて該再循環流量制御弁の開閉が自動調整される再循環水ライン流量制御手段とをさらに備えていてもよい。
同目的を達成するための本発明の洗浄装置は、原子力発電設備の熱交換器をヒドラジン水にて洗浄する洗浄装置であって、洗浄後の洗浄水を貯留する排水受けタンクと、該タンクの洗浄水よりスラッジを除去するフィルタと、スラッジ除去後の洗浄水中のヒドラジンを浄化処理するイオン交換樹脂塔と、洗浄水の導電率を測定する導電率測定装置と、導電率に基づいてヒドラジン濃度を算出又は表示する制御盤と、前記フィルタを乾燥させる乾燥機とが、単一のコンテナ内に収容されていることを特徴とする。
同目的を達成する本発明は、給水タンクにおいて純水にヒドラジンを調整しながら混入して洗浄水を作り、該洗浄水を熱交換器のスラッジ除去対象部に給水する給水設備と、洗浄後の洗浄水を排水受けタンクに貯留し、該タンクの下流において洗浄水に対しフィルタによるスラッジ除去処理を行い、スラッジ除去後の洗浄水に対しイオン交換樹脂塔によるヒドラジンの浄化処理を行ったのち排水する排水処理設備と、スラッジ除去後の洗浄水の少なくとも一部を前記ヒドラジンの浄化処理を行う前に再循環水として必要に応じて前記熱交換器のスラッジ除去対象部に分配給水する再循環水ラインとを備えたスラッジ除去工事における給排水システムにおいて、前記の排水受けタンクと、フィルタと、イオン交換樹脂塔と、排水受けタンク下流に設けられた導電率測定装置と、導電率に基づいてヒドラジン濃度を算出又は表示する制御盤と、フィルタを乾燥させる乾燥機とが、単一のコンテナ内に収容されていることを特徴とする。
【００２０】
【発明の実施の形態】
以下、この発明に係る給排水方法並びに給排水システムを、原子力発電設備における蒸気発生器内の二次側管板上に堆積している金属スラッジ成分を除去するスラッジランシング工事に適用した場合の実施の形態を添付図面に基づいて説明する。
【００２１】
図１において、給水設備１は、給水タンク２、ヒドラジンポンプ３、ヒドラジンタンク４、給水ポンプ５を備え、純水６にヒドラジンンを調整しながら混入して、洗浄水７を作る。洗浄水７は、前記給水ポンプ５や給水側オンライン導電率測定装置８を介して、高圧ジェットポンプ９へ給水される。
【００２２】
洗浄設備１０は、従来の洗浄設備５８の構成と同一であり、管板Ｄ上の二次側に堆積する金属スラッジ成分を洗い流すとともに、その洗浄排水１１、１２を蒸気発生器Ａ外に配設された排水ポンプ１３により屋外へ排水する設備である。
【００２３】
排水処理設備１４は、前述の洗浄設備１０からの洗浄排水（洗浄水）１１、１２を受ける排水受けタンク１５、排水処理ポンプ１６、スラッジ回収バグフィルタ１７、バックアップバグフィルタ１８、カチオン樹脂塔１９、排水側オンライン導電率測定装置２０、清浄水２４を貯留する放流タンク２２、放流ポンプ２３等を備えている。これら排水受けタンク１５、排水処理ポンプ１６、スラッジ回収バグフィルタ１７、バックアップバグフィルタ１８、カチオン樹脂塔１９、オンライン導電率測定装置２０の設備構成機器は、コンテナ１４ａ内に収容されており、コンテナ１４ａ内の設備構成機器は、工事に際してコンテナ単位でまとめて移動・設置される。従来は、これらの設備構成機器に相当する機器は、工事現場の敷地にその都度、平置きに設置され、更にその周囲には風雨をしのぐための仮設小屋まで設置しなければならなかった。しかしながら、本発明においては、コンテナ１４ａを適当な移動手段により移動させることで現場が移っても容易に設備を構築することが可能となっている。また、コンテナ１４ａ内には、電気制御を行う制御盤２１と、スラッジ回収バグフィルタ１７の使用後の乾燥を行うため乾燥機３４とが設けられている。制御盤２１には、前述のオンライン導電率測定装置８及び２０がオンライン接続されている。
【００２４】
図１及び図２、図３に基づき、本発明が従来行われていた蒸気発生器スラッジランシング工事と相違する特徴について説明する。
【００２５】
まず、従来、給水設備５１においては、作業者が洗浄水サンプル５７を採取して、ヒドラジン濃度分析☆１（図５）を行っていたが、本発明では、給水ポンプ５のバイパスラインにオンライン導電率測定装置８を設け、ヒドラジン濃度測定値を制御盤２１に常時表示するとともに、ヒドラジン濃度設定値の異常時には警報を発信する手段を設けている。すなわち、制御盤２１は、オンライン導電率測定装置８で得た導電率を表示すると共に、予め用意してあるヒドラジン濃度及び導電率の相関関係とからヒドラジン濃度を算出しかかる濃度が異常値にあるか否かを管理し、異常状態の場合には作業者に警報を発する。したがって、ヒドラジン分析要員やヒドラジン濃度管理要員等の省力化が図れる。
【００２６】
また、従来、排水処理設備６５においては、前述の洗浄設備５８から排水された排水６３、６４を作業者がサンプル採取し、スラッジ濃度分析☆２、☆３（各８０回／ＳＧ）を行い、洗浄期間中、２系統の排水をミリポア濾過紙により濾過し、濾過前後の乾燥重量を測定したものを平均し、積算流量を乗じて回収スラッジ量を評価していたが、本発明では、高性能のスラッジ回収バグフィルタ１７及びバックアップバグフィルタ１８の採用により、スラッジ全量をバグフィルタに回収し、乾燥機３４による乾燥後、バグフィルタ使用後乾燥重量を測定して、回収スラッジ量を評価することとし、サンプル採取作業者の省力化を図っている。すなわち、本発明のスラッジ回収用のフィルタは、複数の袋状のフィルタ部材を袋の筒状部が同心的に層をなすように重ね合わせて構成された、スラッジ捕集効率９９パーセント以上の袋型多層式フィルタを用い、排水中のスラッジを全量回収することができ、評価精度が従来よりも向上している。また、かかるフィルタに対して排水は袋型フィルタの内側から外側へと流通されるため、排水中のスラッジはフィルタの内側に回収残存される。よって、回収効率や精度の向上だけでなく、乾燥作業や重量測定作業に際してのフィルタの移送も容易である。また、乾燥機３４はコンテナ１４ａ内に配置されているため、作業者の乾燥作業は容易に行うことができる。
【００２７】
また、従来は、排水受けタンク６７の水位計７９を常時監視しながら、作業者が手動弁調整作業☆４（図６）を行っていたが、本発明では、排水処理ポンプ１６は事前に排水受けタンク１３にミニフロー循環待機運転で運転しておき、排水１１、１２の受入れに伴う排水受けタンク１３の水位計２５の変動により、排水受けタンク１３の水位を制御盤２１に表示すると共に、水位計２５とカチオン樹脂塔１９入り口の樹脂処理流量制御弁２７とを制御用回線２７ａで接続し、水位計２５の水位により樹脂処理流量制御弁２７を自動作動させ、カチオン樹脂塔１９を介して清浄水２４を放流タンク２２に移送して、排水受けタンク１３の適量水位を自動制御する手段としている。また、前記樹脂処理流量制御弁２７の作動状況が制御盤に表示されるようにしている。さらに、排水受けタンク１３内部に高低２個のリミットスイッチ２６を設け、排水受けタンク１３水位の異常時には警報を発信することとしている。このような自動制御、制御盤表示、警報などの手段によって、従来のような作業者の常時水位計を監視する労力や、手動弁調整のための作業がなくなり、作業者の省力化が図れる。
【００２８】
また、従来は、排水カートリッジフィルタ６９及び再循環水カートリッジフィルタ７０で処理したスラッジ除去水７１の一部を再循環水７３として、作業者が再循環流量計７８を常時監視しながら手動弁による再循環調整作業☆５（図６）により供給していたが、本発明では、スラッジ除去水２８の一部を再循環水として蒸気発生器Ａに供給する再循環水ライン２９に、流量ダイアル設定式の再循環（積算／瞬間）流量計３０を設け、この流量計の計測値を制御盤２１に表示すると共に、再循環流量計３０と再循環流量制御弁３１とを制御用回線３２で接続して、再循環流量制御弁３１を自動作動させ、再循環流量を設定値に自動制御する手段としている。また、再循環流量制御弁３１の作動状況が制御盤に表示されるようにしており、設定値に対する再循環流量の異常時には警報を発信する手段を設けている。これにより、手動弁調整作業がなくなり、作業者の省力化すなわちコスト低減が図られた。
【００２９】
さらに、従来は、蒸気発生器Ａからの洗浄排水を４基のバグフィルタ６６と、４基の排水カートリッジフィルタ６９、２基の再循環カートリッジフィルタ７０等合計１０基を使用していたが、本発明では、高性能フィルタの採用により、２基のスラッジ回収バグフィルタ１７、１基のバックアップフィルタ１８等合計３基としてフィルタ設備のコンパクト化を図っている。なお、本発明は、高性能のフィルタを合計３基使用することに限定されるものではなく、フィルタの性能アップ、またはスラッジ処理所要量により、フィルタの設置数量を増減することも可能である。
【００３０】
また、従来は、放流タンク７５に貯留するとき、カチオン樹脂塔出口７４から作業者がサンプル採取し、ヒドラジン濃度分析☆６（図６）をしていたが、本発明では、給水設備におけるヒドラジン濃度分析と同様に、カチオン樹脂塔１９処理後、オンライン導電率測定装置２０による導電率を制御盤２１に表示し、ヒドラジン濃度を監視しながら、その濃度が設定値に対して異常となった場合には、警報を発信する手段を設けている。したがって、給水設備におけるヒドラジン濃度分析の場合と同様に、ヒドラジン分析要員やヒドラジン濃度管理要員等の省力化が図れる。
【００３１】
また、従来は、工事毎に単品機器の設置及び系統接続等の準備・片付け作業を実施していたが、本発明では、上記のように、高性能フィルタ等の採用により、設備量が簡素化されるので、排水受けタンク１５、排水処理ポンプ１６、スラッジ回収バグフィルタ１７、バックアップバグフィルタ１８、カチオン樹脂塔１９、オンライン導電率測定装置２０及びそれらの付属機器（記載省略）を一括してコンテナ１４ａ内に配設することができ、排水処理設備のユニット化・トレーラ内恒設積載化が可能となり、作業者の組立・解体作業量の低減を図ることができた。
【００３２】
さらに上記を総合すると、従来は、排水処理設備６５では作業者が排水処理ポンプ６８運転操作、手動弁操作及び各種サンプル採取分析作業等を実施しながら排水処理作業を進捗していたが、本発明では事前に排水処理ポンプ１６をミニフロー待機循環運転しておくことで、排水１１、１２の受入れに対して制御盤２１の監視のみで排水処理作業を進捗でき、大幅な作業者の省力化が図れるシステムとなり大幅なコスト低減が図れる。さらに、設備運転状態を制御盤２１にて一括監視でき、各種異常が生じた場合は警報発信によりいち早く状態を把握することができ、速やかに対処することができる。
【００３３】
なお、この発明に係る給排水方法並びに給排水システムは、原子力発電設備における蒸気発生器内のスラッジランシング工事に適用されることに限定されず、スラッジ除去対象としては、スラッジが堆積し得る熱交換器に広く含むものとする。
【００３４】
【発明の効果】
以上説明したように、本発明のスラッジ除去工事における給排水方法及び給排水システム、ヒドラジン検出装置、洗浄装置によれば、従来、作業者の手作業により進められている作業量を少なくし、作業者の労務コストを低減することでき、熱交換器のスラッジ除去工事において能率的な給排水を行うことが可能となった。
【図面の簡単な説明】
【図１】本発明の実施の形態に係る給排水システムの概要を示す図である。
【図２】本発明の実施の形態に係る給排水システムの給水設備の系統図である。
【図３】本発明の実施の形態に係る給排水システムの排水処理設備の系統図である。
【図４】従来の給排水システムの概要を示す図である。
【図５】従来の給排水システムの給水設備の系統図である。
【図６】従来の給排水システムの排水処理設備の系統図である。
【符号の説明】
１…給水設備、２…給水タンク、８…給水側の導電率測定装置、１４…排水処理設備、１４ａ…コンテナ、１５…排水受けタンク、１７，１８…袋型多層式フィルタ、１９…イオン交換樹脂塔、２０…排水側の導電率測定装置、２１…制御盤、２５…水位計、２７…樹脂処理流量制御弁、２９…再循環水ライン、３０…再循環流量制御弁、３１…流量計、３４…乾燥機。
【図１】
2004176946.tif 000003
【図２】
2004176946.tif 000004
【図３】
2004176946.tif 000005
【図４】
2004176946.tif 000006
【図５】
2004176946.tif 000007
【図６】
2004176946.tif 000008